(57)【要約】【課題】薬局で個人別の容器に薬を入れた状態で運搬でき、そのまま病院や施設の与薬棚の引き出しとして使用できる薬剤収納ケースを提供すること。【解決手段】底板、左右側板及び前後側板を備える上方開口の薬剤収納ケース１０であって、前側板の後面又は該後側板の前面に対応する該左右側板に、左右連結用パーツ９が嵌る厚さ方向に貫通する縦スリット１ａ、１ｂを形成した。【選択図】図３
2020070024.tif 000002
【特許請求の範囲】
【請求項１】
底板、左右側板及び前後側板を備える上方開口の薬剤収納ケースであって、
該前側板の後面又は該後側板の前面に対応する該左右側板に、左右連結用パーツが嵌る厚さ方向に貫通する縦スリットを形成したことを特徴とする薬剤収納ケース。
【請求項２】
該スリットは、所定幅寸法を有し、該前側板の後面と該スリットの前内壁面とが面一であることを特徴とする請求項１記載の薬剤収納ケース。
【請求項３】
該スリットは、所定幅寸法を有し、該後側板の前面と該スリットの後内壁面とが面一であることを特徴とする請求項１記載の薬剤収納ケース。
【請求項４】
該前側板の後面に対応する該左右側板に、左右連結用パーツが嵌る厚さ方向に貫通する縦スリットを形成したものであり、該縦スリットは、第１縦スリットであり、該左右側板は、その前端が該前側板より前方へ延びる左右突出部を有し、該前側板の前面に対応する該左右突出部に連結用パーツ用の厚さ方向に貫通する第２縦スリットを形成したことを特徴とする請求項１記載の薬剤収納ケース。
【請求項５】
該第１縦スリットと該第２縦スリットは、該第１縦スリットと該第２縦スリット間の前後方向の中心における縦中心軸に対して対称形状であることを特徴とする請求項４記載の薬剤収納ケース。
【請求項６】
請求項１〜３のいずれか１項に記載の薬剤収納ケースの複数個と、
隣接する２つの薬剤収納ケースを横方向に連結する樹脂製の左右連結用パーツと、を備え、
該左右連結用パーツは、第１板状体と、該第１板状体と寸法ｍ離れて対峙する第２板状体と、該第１板状体と該第２板状体を左右方向の中央で接続する接続体と、該第１板状体の裏面に起立状又は傾斜状に形成される、先端が該第２板状体方向に延びる可撓性の第１突起体と、該第２板状体の裏面に起立状又は傾斜状に形成される、先端が該第１板状体方向に延びる可撓性の第２突起体と、を有し、
該接続体より左右方向で一方の側が第１グリップであり、該接続体より左右方向で他方の側が第２グリップであり、該第１グリップの第１板状体と第１突起体又は該第１グリップの第２板状体と第２突起体が、一方の薬剤収納ケースの縦スリットに嵌合し、該第２グリップの第１板状体と第１突起体又は該第２グリップの第２板状体と第２突起体が、他方の薬剤収納ケースの縦スリットに嵌合することを特徴とする薬剤収納ケース連結体。
【請求項７】
請求項４又は５記載の薬剤収納ケースの複数個と、
隣接する２つの薬剤収納ケースを横方向に連結する樹脂製の左右連結用パーツと、を備え、
該左右連結用パーツは、第１板状体と、該第１板状体と寸法ｈ離れて対峙する第２板状体と、該第１板状体と該第２板状体を左右方向の中央で接続する接続体と、該第１板状体の裏面に起立状又は傾斜状に形成される、先端が該第２板状体方向に延びる可撓性の第１突起体と、該第２板状体の裏面に起立状又は傾斜状に形成される、先端が該第１板状体方向に延びる可撓性の第２突起体と、を有し、
該接続体より左右方向で一方の側が第１グリップであり、該接続体より左右方向で他方の側が第２グリップであり、第１グリップの第１板状体と第１突起体及び第１グリップの第２板状体と第２突起体が、一方の薬剤収納ケースの第２縦スリット及び第１縦スリットにそれぞれ嵌合し、第２グリップの第１板状体と第１突起体及び第２グリップの第２板状体と第２突起体が、他方の薬剤収納ケースの第２縦スリット及び第１縦スリットにそれぞれ嵌合することを特徴とする薬剤収納ケース連結体。
【請求項８】
該第１突起体及び該第２突起体は、高さが略ｈ/２で、縦スリットへの差し込み方向と直交する方向に長さが延びる毛状断面突起又は矩形断面突起が、差し込み方向に互いに離れて、複数個形成されたものであることを特徴とする請求項６又は７記載の薬剤収納ケース連結体。
【請求項９】
該接続体は、左右方向と直交する方向に延びる板状体であることを特徴とする請求項６〜８のいずれか１項に記載の薬剤収納ケース連結体。
【発明の詳細な説明】
【技術分野】
【０００１】
本発明は、薬局で個人別の容器に薬を入れた状態で運搬でき、そのまま病院や施設の与薬棚の引き出しとして使用できる薬剤収納ケース連結体及びその一部品である薬剤収納ケースに関する。
【背景技術】
【０００２】
従来、薬の管理方法としては、薬局から病院や施設へ複数人数分の薬をまとめて運び、病院や施設において、個人別の引き出しに、朝、昼、夕、寝る前等のタイミング別に薬剤収納ケースを入れ直すという作業を行っていた。
【０００３】
薬局や病院で使用される薬剤収納ケースには、種々のものが提案されている。例えば、特開２０１２−７６８１０号公報には、前壁部、一対の側壁部、底壁部、後壁部を有して上部が開口された筐体状の薬剤ケースにおいて、後部に大収納部、前部に小収納部を形成するように仕切り板で仕切るように構成された薬剤ケースであって、前記前壁部と前記小収納部との間に、薬剤の情報を伝達する表示部が配設されていることを特徴とする薬剤ケースが開示されている。この薬剤ケース（薬剤収納ケース）によれば、薬剤ケースに収納された薬剤に関する情報を確実に伝達して、間違った薬剤を取り出す虞のないように形成された薬剤ケースを提供できる。
【０００４】
また、実用新案登録第３２０２３６１号公報には、前壁、後壁、一対の側壁、底壁を有し、上方が開口した薬剤収容部を備え、前記薬剤収容部は、前方に位置して前後寸法が相対的に小さい小収容部と、後方に位置して前後寸法が相対的に大きい大収容部と、を有し、前記小収容部は、前記底壁から上方に突出した突出部を有する薬剤ケースが開示されている。この薬剤ケースによれば、薬剤収容部の収容物、特に端数包装体を取り出し易い。このような従来の薬剤ケースは、いずれも、薬局と病院のいずれか施設でのオペレーションのための使用であった。
【先行技術文献】
【特許文献】
【０００５】
【特許文献１】特開２０１２−７６８１０号公報
【特許文献２】実用新案登録第３２０２３６１号公報
【発明の開示】
【発明が解決しようとする課題】
【０００６】
しかしながら、従来のような薬の管理方法は、薬局と病院の両方でオペレーションが必要となり、作業の効率化の点で問題となっている。従って、薬局で個人別の容器に薬を入れた状態で運搬でき、そのまま病院や施設の与薬棚の引き出しとして使用できる薬剤収納ケースであれば、患者に与薬する施設や病院でのオペレーションは確認のみとなり、施設や病院での仕事の効率化が図れて都合がよい。
【０００７】
すなわち、本発明の目的は、薬局で個人別の容器に薬を入れた状態で複数個を同時に運搬でき、そのまま病院や施設の与薬棚の引き出しとして使用できる薬剤収納ケースを提供することにある。
【０００８】
従って、本発明は、上記課題を解決するものであり、底板、左右側板及び前後側板を備える上方開口の薬剤収納ケースであって、該前側板の後面又は該後側板の前面に対応する該左右側板に、左右連結用パーツが嵌る厚さ方向に貫通する縦スリットを形成したことを特徴とする薬剤収納ケースを提供するものである。
【０００９】
また、本発明は、該スリットは、所定幅寸法を有し、該前側板の後面と該スリットの前内壁面とが面一であることを特徴とする前記薬剤収納ケースを提供するものである。
【００１０】
また、本発明は、該スリットは、所定幅寸法を有し、該後側板の前面と該スリットの後内壁面とが面一であることを特徴とする前記薬剤収納ケースを提供するものである。
【００１１】
また、本発明は、該前側板の後面に対応する該左右側板に、左右連結用パーツが嵌る厚さ方向に貫通する縦スリットを形成したものであり、該縦スリットは、第１縦スリットであり、該左右側板は、その前端が該前側板より前方へ延びる左右突出部を有し、該前側板の前面に対応する該左右突出部に連結用パーツ用の厚さ方向に貫通する第２縦スリットを形成したことを特徴とする前記薬剤収納ケースを提供するものである。
【００１２】
また、本発明は、該第１縦スリットと該第２縦スリットは、該第１縦スリットと該第２縦スリット間の前後方向の中心における縦中心軸に対して対称形状であることを特徴とする前記薬剤収納ケースを提供するものである。
【００１３】
また、本発明は、前記薬剤収納ケースの複数個と、
隣接する２つの薬剤収納ケースを横方向に連結する樹脂製の左右連結用パーツと、を備え、
該左右連結用パーツは、第１板状体と、該第１板状体と寸法ｍ離れて対峙する第２板状体と、該第１板状体と該第２板状体を左右方向の中央で接続する接続体と、該第１板状体の裏面に起立状又は傾斜状に形成される、先端が該第２板状体方向に延びる可撓性の第１突起体と、該第２板状体の裏面に起立状又は傾斜状に形成される、先端が該第１板状体方向に延びる可撓性の第２突起体と、を有し、
該接続体より左右方向で一方の側が第１グリップであり、該接続体より左右方向で他方の側が第２グリップであり、該第１グリップの第１板状体と第１突起体又は該第１グリップの第２板状体と第２突起体が、一方の薬剤収納ケースの縦スリットに嵌合し、該第２グリップの第１板状体と第１突起体又は該第２グリップの第２板状体と第２突起体が、他方の薬剤収納ケースの縦スリットに嵌合することを特徴とする薬剤収納ケース連結体を提供するものである。
【００１４】
また、本発明は、前記薬剤収納ケースの複数個と、
隣接する２つの薬剤収納ケースを横方向に連結する樹脂製の左右連結用パーツと、を備え、
該左右連結用パーツは、第１板状体と、該第１板状体と寸法ｍ離れて対峙する第２板状体と、該第１板状体と該第２板状体を左右方向の中央で接続する接続体と、該第１板状体の裏面に起立状又は傾斜状に形成される、先端が該第２板状体方向に延びる可撓性の第１突起体と、該第２板状体の裏面に起立状又は傾斜状に形成される、先端が該第１板状体方向に延びる可撓性の第２突起体と、を有し、
該接続体より左右方向で一方の側が第１グリップであり、該接続体より左右方向で他方の側が第２グリップであり、第１グリップの第１板状体と第１突起体及び第１グリップの第２板状体と第２突起体が、一方の薬剤収納ケースの第２縦スリット及び第１縦スリットにそれぞれ嵌合し、第２グリップの第１板状体と第１突起体及び第２グリップの第２板状体と第２突起体が、他方の薬剤収納ケースの第２縦スリット及び第１縦スリットにそれぞれ嵌合することを特徴とする薬剤収納ケース連結体を提供するものである。
【００１５】
また、本発明は、該第１突起体及び該第２突起体は、高さが略ｍ/２で、縦スリットへの差し込み方向と直交する方向に長さが延びる毛状断面突起又は矩形断面突起が、差し込み方向に互いに離れて、複数個形成されたものであることを特徴とする前記記載の薬剤収納ケース連結体を提供するものである。
【００１６】
また、本発明は、該接続体は、左右方向と直交する方向に延びる板状体であることを特徴とす前記薬剤収納ケース連結体を提供するものである。
【発明の効果】
【００１７】
本発明によれば、複数個の薬剤収納ケースを横並びで連結できるため、薬局で個人別の容器に薬を入れた状態で複数個を運搬でき、そのまま病院や施設の与薬棚の引き出しとして使用できる。このため、患者に与薬する施設や病院でのオペレーションは確認のみとなり、施設や病院での仕事の効率化が図れる。また、横並びに連結体することで、薬の多い患者に対しても倍の容量の容器として、与薬棚から一度に引き出すことができ、与薬作業が行い易くなる。
【図面の簡単な説明】
【００１８】
【図１】本発明の実施の形態における薬剤収納ケースの斜視図である。
【図２】図１の薬剤収納ケースの側面図である。
【図３】図１の薬剤収納ケース２個を横並びで連結する方法を説明する図である。
【図４】図１の薬剤収納ケースの２個が横並びで連結された図である。
【図５】図３の薬剤収納ケースの横断面図である。
【図６】図４の薬剤収納ケースの横断面図である。
【図７】図１の薬剤収納ケースの横連結に使用する左右連結用パーツの斜視図である。
【図８】図７の左右連結用パーツの平面図である。
【図９】図１のＸ−Ｘ線に沿って見た断面図である。
【図１０】図９の符号Ｘ１部分の拡大図である。
【図１１】図９の符号Ｘ２部分の拡大図である。
【図１２】薬剤収納ケース連結体の一例を示す斜視図である。
【図１３】図７の左右連結用パーツの連結部を示す部分拡大図である。
【発明を実施するための形態】
【００１９】
次に、本発明の実施の形態における薬剤収納ケースを図１及び２を参照して説明する。本明細書中、正面及び左右方向は、収納棚に設置された状態で、作業者側（薬剤収納ケース引き出し方向側）から見た方向を言う。薬剤収納ケース１０は、底板３ｅ、右側板３ｃ、左側板３ｄ、前側板３ａ、後側板３ｂを備える上方開口の前後方向に長いケース状である。これにより、紙等でパッキングされた患者Ａ用の薬剤を収納できる。薬剤収納ケース１０には、前部に一対の縦スリット（第１及び第２縦スリット）１ａ、後部に１条の「第１スリット１ｂが形成されている。第１スリット１ｂ及び一対の第２縦スリット１ａには、それぞれ左右連結用パーツ９の一部が嵌り、他の薬剤収納ケース１０と横方向の連結を可能とする。
【００２０】
薬剤収納ケース１０において、後側板３ｂの前面３１ｂに対応する左右側板３ｃ、３ｄに、左右連結用パーツ９が嵌る厚さ方向に貫通する１条の縦スリット（第１縦スリット）１ｂ、１ｂが形成されている。縦スリット１ｂ、１ｂは、左右側板３ｃ、３ｄの厚み方向に貫通する所定幅と所定高さを有する縦長の矩形状のスリットである。縦スリット１ｂは、後側板３ｂの前面と縦スリット１ｂの前内壁面とが面一である。縦スリット１ｂ、１ｂには、左右連結用パーツ９の一部が嵌る。左右連結用パーツ９は、図７及び図８に示すように、連結体９３を中心にした左右に第１グリップＧ１と第２グリップＧ２を有する樹脂製であり、縦スリット１ｂに、例えば、第１グリップＧ１を構成する第１板状体９１１と第１突起体９４１が差し込まれ、第１グリップＧ１で、後側板３ｂの前後両面をグリップする。縦スリット１ｂ、１ｂのスリット高さは、左右連結用パーツ９の高さより僅かに高く、縦スリット１ｂ、１ｂのスリット幅は、左右連結用パーツ９の第１板状体９１又は第２板状体９２の厚みより大である。なお、縦スリット１ｂ、１ｂのスリット幅は、左右連結用パーツ９の第１板状体９１又は第２板状体９２の厚みより大き過ぎても、連結強さには影響しない。
【００２１】
薬剤収納ケース１０において、前側板３ａの後面に対応する左右側板３ｃ、３ｄに、左右連結用パーツ９が嵌る厚さ方向に貫通する所定幅と所定高さを有する縦長の矩形状のスリット（第１縦スリット）１２ａが形成されている。また、第１縦スリット１２ａは、前側板３ａの後面と第１縦スリット１２ａの前内壁面とが面一である。薬剤収納ケース１０の左右側板３ｃ、３ｄは、その前端が前側板３ａより前方へ延びる左右突出部３１ｃ、３１ｄを有し、前側板３ａの前面３１ａに対応する左右突出部３１ｃ、３１ｄには、厚さ方向に貫通する第２縦スリット１１ａが形成されている。第２縦スリット１１ａは、左右突出部３１ｃ、３１ｄの厚み方向に貫通する所定幅と所定高さを有する縦長の矩形状のスリットである。また、第２縦スリット１１ａは、前側板３ａの前面と第２縦スリット１１ａの後内壁面とが面一である。第２縦スリット１１ａには、左右連結用パーツ９の第１グリップＧ１の一方又は他方あるいは第２グリップＧ２の一方又は他方が嵌る。なお、左右突出部３１ｃ、３１ｄは、本例では、左右側板３ｃ、３ｄの厚みと同じ厚みである。
【００２２】
第１縦スリット１２ａと第２縦スリット１１ａは、第１縦スリット１２ａと第２縦スリット１１ａ間の前後方向の中心における縦中心軸（仮想）に対して対称形状である。すなわち、第１縦スリット１２ａと第２縦スリット１１ａは、左右連結用パーツ９が嵌る一対のスリットを構成する。第１縦スリット１２ａには、左右連結用パーツ９の第１グリップＧ１１の第１板状体９１１と第１突起体９４１が嵌り、第２縦スリット１１ａには、左右連結用パーツ９の第１グリップＧ１１の第２板状体９２１と第２突起体９５１が嵌る。これにより、第１縦スリット１２ａと第２縦スリット１１ａに差し込まれた第１グリップＧ１は、前側板３ａの前後両面をグリップする。なお、縦スリット１２ａ、１１ａのスリット幅は、第１縦スリット１ｂと同様、左右連結用パーツ９の第１板状体９１又は第２板状体９２の厚みより大であり、そのスリット幅は、左右連結用パーツ９の第１板状体９１又は第２板状体９２の厚みより大き過ぎても、連結強さには影響しない。
【００２３】
薬剤収納ケース１０において、左右側板の上部内側には、前後方向に延びる係止溝レール４が形成されている。係止溝レール４は、他の薬剤収納ケース１０の係止突起レール５が前後方向にスライド自在に嵌り、上下２つの薬剤収納ケース１０を積層状に連結可能とする。
【００２４】
薬剤収納ケース１０において、左右側板３ｃ、３ｄは、図０及び図１１に示すように、上部において段差構造となっている。すなわち、左右側板３ｃ、３ｄは上部において外側に直角に屈曲し、更に上方に直角に屈曲することで、段差を形成し、更に内側の側板となった側板が上方に僅かに延びて縦溝４８を構成したものである。すなわち、係止溝レール４は、前後方向に延びる外縦板４１と、外縦板４１からｍ寸法離れた内側で、外縦板４１の高さより低い高さの前後方向に延びる内縦板４２とで形成される縦溝４８と、内縦板４２の上端からｎ寸法上方に離れて外縦板４１の内側面から内側方向に延びる小横板４３と、内縦板４２の上端とで形成される横溝４９との逆さＬ字断面の二重溝となっている。なお、横溝４９は、外側が縦溝４８に連続しており、横溝４９の溝長さは、内縦板４２の厚みとなる。また、外縦板４１は、左右側板３ｃ、３ｄの一部を構成する。
【００２５】
また、小横板４３の内側方向へ延びる長さ（突出長さ）は、縦溝４８の溝幅寸法ｍと同じ又はこれより小となっている。これにより、他の（上側の）薬剤収納ケース１０が上方に持ち上げられた際、係止突起レール５が小横板４３と当接して持ち上げるため、他の（上側の）薬剤収納ケース１０は、脱落することなく、連結状態を維持できる。また、横溝４９の溝幅（図１０中、上下長さ）は、別部材である蓋部材１の厚みより僅かに大の寸法である。これにより、蓋部材１は、横溝４９にスライド自在に嵌合でき、更に嵌合後は、蓋部材１が持ち上げられても、小横板４３がストッパーの役目となり、脱落することなく、連結できる。
【００２６】
係止溝レール４において、小横板４３は、前後方向に不連続で部分的（本例では３か所）に形成され、内縦板４２は、部分的に形成された小横板４３の対応する位置において切り欠かれている。係止溝レール４は、このように部分的に配置することで、他の薬剤収納ケースのスライドによる連結や、蓋部材のスライドによる連結を円滑にできる。また、蓋部材１の対応する位置と避ける位置に、抜け用の切り欠きを設ければ、蓋部材１をスライドして引き抜くことなく、スライド途中で外すことができる。
【００２７】
薬剤収納ケース１０において、左右側板３ｃ、３ｄの下端には、図１１に示すように、前後方向に延びる係止突起レール５が形成されている。係止突起レール５は、係止溝レール４の二重溝に嵌る突起形状であり、具体的には、正面視で、左右側板の下端が外側へ直角に屈曲し、更に下方に直角に屈曲する逆Ｌ字形状である。係止突起レール５は、前後方向に連続して形成されるものであるが、図１に示すように、後部の一部に切り欠き部５９を有していてもよい。切り欠き部５９は、収納棚に収納され、引き出す際、収納棚の底板の前端に係止して、作業を円滑にする。
【００２８】
左右側板３ｃ、３ｄの内側の面には、前後方向に所定のピッチで縦方向に延びる多数の仕切り板用の突起６が形成されている。左右で且つ前後に隣接する突起６間に仕切り板を取り付け、且つ仕切り板に表示プレートを貼付すれば、仕切り板間の薬剤の情報が明確となる。例えば、仕切り板を３つ使用し、薬剤収納ケース１０内を４つに区画すれば、後方から前方に向けて、寝る前、夕、昼、朝用の薬剤を入れる区画となる。
【００２９】
薬剤収納ケース１０において、前側板３ａの前面は、例えば、薬剤を使用する患者の名前などが書かれた表示板を収納する表示部が形成されている。これにより、薬剤収納ケース１０がどの患者用のものであるかが明確となる。表示部は、表示板を差し込み自在のポケット構造としてもよい。
【００３０】
次に、薬剤収納ケース横連結体（以下、単に「ケース横連結体」とも言う。）について、図３〜図６を参照して説明する。図３〜図６において、図１〜図２と同一構成要素には、同一符号を付して、その説明を省略し、異なる点について、主に説明する。ケース横連結体２０は、薬剤収納ケース１０の複数個（２個）と、左右連結用パーツ９の複数個（２個）を備える。左右方向に隣接する２つの薬剤収納ケース１０ａ、１０ｂは、左右連結用パーツ９、９により、左右方向に隣接して連結される。
【００３１】
左右連結用パーツ９は、図７及び図８に示すように、第１板状体９１と、第１板状体９１と寸法ｍ離れて対峙する第２板状体９２と、第１板状体９１と第２板状体９２を左右方向の中央で接続する接続体９３と、第１板状体９１の裏面に起立状又は傾斜状に形成される、先端が第２板状体９２方向に延びる可撓性の第１突起体９４と、第２板状体９２の裏面に起立状又は傾斜状に形成される、先端が第１板状体９１方向に延びる可撓性の第２突起体９５と、を有する。接続体９３は、本例では、左右方向と直交する方向（上下方向）に長く延びる板状体である。左右連結用パーツ９は、連結時、正面視において、第１板状体９１が正面となり、中の第１突起体９４及び第２突起体９５が正面及び背面から見えず、且つ接続体９３が上下方向に長く延びている。
【００３２】
第１板状体９１及び第２板状体９２は、数ｍｍの厚みを有する板状体であり、例えば、硬質の塩ビが使用できる。第１板状体９１及び第２板状体９２の高さ寸法及び幅寸法は、適宜決定されるが、例えば、それぞれ３０ｍｍ〜４０ｍｍ程度である。連結体９３は、第１板状体９１及び第２板状体９２を連結する強度を有し、数ｍｍの厚みを有する板状体であり、例えば、硬質の塩ビが使用できる。第１板状体９１と第２板状体９２間（符号ｈ）、例えば、後側板の厚みより大であり、具体的には、概ね５ｍｍ〜十数ｍｍの間で、適宜決定される。
【００３３】
第１突起体９４及び第２突起体９５は、例えば、軟質塩ビ製の可撓性であり、縦スリットへの差し込み方向と直交する方向、すなわち、上下方向に延びる長さと、略ｈ/２の高さを有する、先尖りの毛状断面突起又は略矩形状断面突起が、差し込み方向に互いに離れて、複数個形成されたものである。また、第１突起体９４は、根本から先端にかけて、接続部９３側に傾斜状であり、第２突起体９５は、同様に、根本から先端にかけて、接続部９３側に傾斜状である。これにより、縦スリットへの差し込みの際、第１突起体９４及び第２突起体９５は傾斜方向に撓むため、差し込みの抵抗が小で円滑であり、一方、連結後は、図１３に示すように、第１突起体９４及び第２突起体９５は撓難い方向に力が働き、引き抜き抵抗が大となり、外れ難い。本例では、第１突起体９４がＧ１で３個、Ｇ２で３個、第２突起体９５がＧ１で２個、Ｇ２で２個である。左右連結用パーツ９は、対象連結部材、例えば、後側板が、最小厚み１ｍｍ以上、最大厚み１０ｍｍであれば、連結可能である。
【００３４】
左右連結用パーツ９は、図８に示すように、左側（一方）の第１グリップＧ１は、第１グリップＧ１の後グリップＧ１２が、第２板状体９２１と第２突起体９５１であり、第１グリップＧ１の前グリップＧ１１が、第１板状体９１１と第１突起体９４１である。また、右側（他方）の第２グリップＧ２の後グリップＧ２２が、第２板状体９２２と第２突起体９５２であり、第２グリップＧ２の前グリップＧ２１が、第１板状体９１２と第１突起体９４２である。
【００３５】
ケース横連結体２０において、左の薬剤収納ケース１０ａの後部の縦スリット１ｂには、前グリップＧ１１が縦スリット１ｂに差し込まれ、後側板３ｂの前側面に強く当接し、後グリップＧ１２が後側板３ｂの後側面に強く当接し、第１グリップＧ１が後側板３ｂを強く、挟み込む。この場合、左右連結用パーツ９のＧ１２は、縦スリット１ｂに差し込まれてはいないものの、前方グリップＧ１１が縦スリット１ｂに強く差し込まれており、容易には、抜けない。
【００３６】
左の薬剤収納ケース１０ａの前部の縦スリット１ａ（１１ａ、１２ａ）において、第２縦スリット１１ａには、前方グリップＧ１１が差し込まれ、前側板３ａの前側面に強く当接し、第１縦スリット１２ａには、後グリップＧ１２が差し込まれ、前側板３ａの後側面に強く当接し、第１グリップＧ１が前側板３ａを強く、挟み込む。
【００３７】
ケース横連結体２０において、右の薬剤収納ケース１０ｂの左の薬剤収納ケース１０ａと対峙する側の後部の縦スリット１ｂには、第２グリップＧ２の前グリップＧ２１が縦スリット１ｂに差し込まれ、後側板３ｂの前側面に強く当接し、後グリップＧ２２が後側板３ｂの後側面に強く当接し、第２グリップＧ２が後側板３ｂを強く、挟み込む。この場合、左右連結用パーツ９のＧ２２は、縦スリット１ｂに差し込まれてはいないものの、前方グリップＧ２１が縦スリット１ｂに強く差し込まれており、容易には、抜けない。
【００３８】
右の薬剤収納ケース１０ｂの左の薬剤収納ケース１０ａと対峙する側の前部の縦スリット１ａ（１１ａ、１２ａ）において、第２縦スリット１１ａには、前方グリップＧ２１が差し込まれ、前側板３ａの前側面に強く当接し、第１縦スリット１２ａには、後グリップＧ２２が差し込まれ、前側板３ａの後側面に強く当接し、第２グリップＧ２が前側板３ａを強く、挟み込む。右の薬剤収納ケース１０ｂと左の薬剤収納ケース１０ａは、左右連結用パーツ９で強く連結されており、両者は手で外さない限り、外れない。
【００３９】
ケース横連結体２０において、上方開口は、蓋部材８により蓋されている。蓋部材８は、板状体であり、薬剤収納ケース１０ａ、１０ｂの上方開口を閉じ、係止溝レール４の横溝４９にスライド自在となる寸法形状である。また、板状体の左右端部には、前後方向の所定のピッチで、２つ、左右で４つの切り欠き部１３が形成されている。切り欠き部１３の大きさは、部分的に形成されている係止溝レール４の大きさよりやや大である。また、切り欠き部１３は、蓋部材１が薬剤収納ケース１０に取り付けられた状態において、係止溝レール４に対応しない位置である。これにより、蓋部材１が薬剤収納ケース１０に取り付けられた状態において、蓋部材１は、係止溝レール４の小横板４３に当たり、外れることはなく、蓋部材１を外す際、部分的な係止溝レール４に対応する位置にくることで、蓋部材１を引き上げることで、係止を解除できる。
【００４０】
ケース連結体３０は、更に上下方向に積層、連結されている。すなわち、下方の薬剤収納ケース１０の係止溝レール４と上方の薬剤収納ケース１０の係止突起レール５が係止して積層連結され、蓋部材１は、上の薬剤収納ケース１０の横溝４９に嵌り、上方開口を閉じるように付設され、持ち運び可能である。ケース連結体２０は、２つの薬剤収納ケース１０、１０の連結に限定されず、３つ以上の薬剤収納ケース１０を上下方向に連結することができる。
【００４１】
次に、ケース連結体３０の組付け方法の一例について説明する。４つの薬剤収納ケース１０、８つの左右連結用パーツ９及び２つの蓋部材１を準備する。例えば、一方の薬剤収納ケース１０には、患者Ａ用の１日の薬剤が朝、昼、夕、寝る前の４回分が収納されている。また、他方の薬剤収納ケース１０には、患者Ｂ用の１日の薬剤が朝、昼、夕、寝る前の４回分が収納されている。また、患者Ｃ及びＤ用にも同様に準備する。この薬剤の患者毎のオペレーションは、薬局で行われる。次に、２つの薬剤収納ケース１０、１０を左右連結用パーツ９で横並びに連結し、更に上下方向に連結する。上下方向の連結は、上下近接位置となるよう上方の薬剤収納ケース１０を前方位置で保持し、下方の薬剤収納ケース１０の前側板３ａの上面に、上方の薬剤収納ケース１０の後側板３ｂの下端を載せ、上下位置を決定する。この状態から、上方の薬剤収納ケース１０ａを下方の薬剤収納ケース１０に対して、後方側へスライド移動させる。この際、上方の薬剤収納ケース１０の係止突起レール５と、下方の薬剤収納ケース１０ｂの係止溝レール４は係止しながら、両者は連結される。上方の薬剤収納ケース１０の後側板３ｂの下部が、下方の薬剤収納ケース１０の後側板３ｂの上部に当接することで、両者の連結は完了する。
【００４２】
次に、連結された４つの薬剤収納ケース１０の上方の薬剤収納ケース１０に蓋部材１を取り付ける。蓋部材１は、上方の薬剤収納ケース１０の横溝４９に、前方から後方に向けて、係止しつつスライドする。蓋部材１の後端が、上方の薬剤収納ケース１０の後側板３ａに当たることで、蓋部材１の取り付けは完了する。この際、蓋部材１の切り欠き部１３は、係止溝レール４の対応する位置に来ておらず、また、蓋部材１の上面の左右縁部が、小横板４３に当たっており、蓋部材１が外れることはない。そして、把持部１２を把持して持ち上げれば、ケース連結体３０を持ち上げることができる。
【００４３】
ケース連結体３０は、把持部１２を把持し、手で運搬することができる。病院などの施設に運搬されたケース連結体３０は、連結が解除される。ケース連結体３０から蓋部材１を外す方法は、組付けの際の逆の方法で行えばよい。本例の場合、蓋部材１の切り欠き部１３を、係止溝レール４と対応する位置までスライドさせ、蓋部材１の切り欠き部１３と、係止溝レール４を一致させ、蓋部材１を引き上げればよい。２つの薬剤収納ケース１０の取り外しは、組付けの逆の方法であり、上方の薬剤収納ケース１０ａを下方の薬剤収納ケース１０ｂに対して、前方側へスライド移動させて、外せばよい。
【００４４】
次に、薬剤収納ケース１０を収納棚に収納及び引き出す。収納棚は、公知のものが使用できる。収納棚は、左右側板、天板、底板、後側板からなる前方開口の箱状体であり、薬剤収納ケース１０を横並びで、例えば、４つ収納することができる。収納棚に、薬剤収納ケース１０を収納するには、薬剤収納ケース１０を前方から後方へ押し込むことで、収納できる。このように、順次、薬剤収納ケース１０を収納棚に収納していく。収納棚、更に大きな収納能力を有するコンテナーなどに収納される。
【００４５】
次に、収納棚から薬剤収納ケース１０を引き出し、患者に与薬するには、先ず、薬剤収納ケース１０の前側板３ａの表示部を把持し、薬剤収納ケース１０を前方に引き出す。この状態において、患者に与薬する薬剤を取り出す作業を行う。作業が終了すれば、薬剤収納ケース１０の水平状態に保持して、後方に押し出し、収納棚への収納を完了する。
【００４６】
本発明は、上記実施の形態例に限定されず、種々の変形を採ることができる。例えば、左右連結用パーツ９の第１突起体及び第２突起体は、傾斜状のものに限定されず、第１板状体及び第２板状体から起立したものであってもよい。この場合、第１突起体の先端は、第２突起体の先端を超えて、延びていてもよい。すなわち、第１突起体及び第２突起体とは、両先端が平面視において、重なり合っていてもよい。この場合、第１突起体と第２突起体の高さは同じとする。第１突起体及び第２突起体の高さは、均一なものに限定されず、異なる高さのものが混在していてもよい。第１突起体の根本及び第２突起体の根本は、正面視において一致する必要はなく、異なっていてもよい。また、第１突起体及び第２突起体の延びる長さ方向は、上下方向に限定されず、斜め方向であってもよい。また、例えば、縦スリット１ｂにおいて、後側板３ｂの前面と縦スリット１ｂの前内壁面とは、必ずしも面一である必要はなく、後側板３ｂの前面が縦スリット１ｂの前内壁面より少し後方側にあってもよい。縦スリット１ａについても同様である。縦スリットは、上記実施の形態のように、一対の縦スリット１ａと１条の縦スリット１ｂの併用に限定されず、一対の縦スリットのみを２か所に設けてもよく、また、１条の縦スリットのみを２か所に設けてもよい。係止溝レールは、不連続の部分的なものに限定されず、連続した溝レールであってもよい。また、蓋部材１の切り欠き部１３の設置は省略できる。また、蓋部材８の把持部は設置を省略できる。この場合、ケース連結体をゴムバンドなどで固定し、これにハンドルなどの把持部を設置し、運搬可能としてもよい。なお、小横板４３の内側方向へ延びる長さ（突出長さ）は、縦溝４８の溝幅寸法ｍより小又はそれより大であってもよい。小横板４３の内側方向へ延びる長さ（突出長さ）は、縦溝４８の溝幅寸法ｍより小であっても、持ち運びの際、上方の係止突起レール５は、下方の小横板４３に引っかかっており、上下の連結体が外れることはない。
【産業上の利用可能性】
【００４７】
本発明によれば、複数個の薬剤収納ケースを左右方向に連結できるため、薬局で個人別の容器に薬を入れた状態で複数個、運搬でき、そのまま病院や施設の与薬棚の引き出しとして使用できる。このため、薬局から病院への運搬効率が上がり、また、患者に与薬する施設や病院でのオペレーションは確認のみとなり、施設や病院での仕事の効率化が図れる。
【符号の説明】
【００４８】
１、１ａ、１ｂ    縦スリット
３ｅ      底板
３ｃ      右側板
３ｄ      左側板
３ａ      前側板
３ｂ      後側板
４        係止溝レール
５        係止突起レール
６        仕切り用突起
７        ロック片
８        蓋部材
１０      薬剤収納ケース
１１ａ    第２縦スリット
１２ａ    第１縦スリット
４１        外縦板
４２        内縦板
４３        小横板
４８        縦溝
４９        横溝
【図１】
2020070024.tif 000003
【図２】
2020070024.tif 000004
【図３】
2020070024.tif 000005
【図４】
2020070024.tif 000006
【図５】
2020070024.tif 000007
【図６】
2020070024.tif 000008
【図７】
2020070024.tif 000009
【図８】
2020070024.tif 000010
【図９】
2020070024.tif 000011
【図１０】
2020070024.tif 000012
【図１１】
2020070024.tif 000013
【図１２】
2020070024.tif 000014
【図１３】
2020070024.tif 000015